【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
容器から既に供給されたか、又は容器内に残っている物質の服用回数を表示するのに適した表示装置において、
複数の位置に移動可能な少なくとも１つの第１表示器部材と、
前記少なくとも１つの第１表示器部材の所定数の運動に応じて移動可能な第２表示器部材と、を備えており、
前記少なくとも１つの第１表示器部材は、容器から既に供給されたか、又は容器内に残っている物質の服用回数を表示するようになっている一次服用量標識を備えており、前記第２表示器部材は、容器内に残っている物質が最小の所定服用回数分より少ないことを表示するようになっている二次服用量標識を備えている、表示装置。
【請求項２】
前記一次及び二次服用量標識の一方は数字標識を備えており、他方はカラー標識を備えている、請求項１に記載の表示装置。
【請求項３】
前記一次服用量標識は数字標識を備えており、前記二次服用量標識はカラー標識を備えている、請求項２に記載の表示装置。
【請求項４】
前記少なくとも１つの第１表示器部材は第１軸を中心として回転可能で、前記第２表示器部材は第２軸を中心として回転可能で、前記第１軸と前記第２軸は実質的に平行である、請求項１に記載の表示装置。
【請求項５】
前記第１軸と前記第２軸は間隔を空けて配置されている、請求項４に記載の表示装置。
【請求項６】
前記少なくとも１つの第１表示器部材は駆動部材を備えており、前記駆動部材は、前記少なくとも１つの第１表示器部材が前記所定数の運動をすると、前記第２表示器部材と係合する、請求項１に記載の表示装置。
【請求項７】
前記第２表示器部材は少なくとも１つの被駆動部材を備えており、前記駆動部材は、前記少なくとも１つの第１表示器部材が前記所定数の運動をすると、前記少なくとも１つの被駆動部材と係合する、請求項６に記載の表示装置。
【請求項８】
前記少なくとも１つの駆動部材は複数の歯を備えている、請求項７に記載の表示装置。
【請求項９】
前記少なくとも１つの第１表示器部材は、所定の運動の複数のサイクルを通して移動可能であり、前記駆動部材は、前記複数のサイクルの各サイクルが終了すると前記第２表示器部材の複数の歯と継続的に係合して、前記第２表示器部材を１用量分動かす、請求項８に記載の表示装置。
【請求項１０】
ハウジングを更に備えており、前記少なくとも１つの第１表示器部材と前記第２表示器部材は前記ハウジング内に回転可能に取り付けられている、請求項１に記載の表示装置。
【請求項１１】
前記ハウジングは、基部部材と、前記基部部材に移動可能に取り付けられているキャップ部材を備えている、請求項１０に記載の表示装置。
【請求項１２】
前記少なくとも１つの第１表示器部材と前記第２表示器部材は、前記キャップ部材に回転可能に取り付けられている、請求項１１に記載の表示装置。
【請求項１３】
容器によって係合されるようになっているアクチュエータを更に備えており、前記アクチュエータは、前記ハウジングに対して移動可能であり、前記少なくとも１つの第１表示器部材に、前記第１表示器部材を前記複数の位置の間で動かすように作動可能に連結されている、請求項１０に記載の表示装置。
【請求項１４】
前記アクチュエータは基部部材を備えており、前記表示器ハウジングは、前記基部部材に可動的に接続されているキャップ部材を備えている、請求項１１に記載の表示装置。
【請求項１５】
前記少なくとも１つの第１表示器部材は、同軸に取り付けられている複数の一次表示器部材を備えており、前記複数の一次表示器部材は、回転軸を中心として回転可能に取り付けられている、請求項１に記載の表示装置。
【請求項１６】
前記複数の一次表示器部材の少なくとも１つは駆動部材を備えており、前記駆動部材は、前記複数の一次表示器部材の前記少なくとも１つが所定数の運動をすると、前記第２表示器部材と係合する、請求項１５に記載の表示装置。
【請求項１７】
前記複数の一次表示器部材は、少なくとも第１及び第２の一次表示器部材を備えており、前記第１及び第２の一次表示器部材の少なくとも一方は前進部材を備えており、前記第１及び第２の一次表示器部材の少なくとも他方は複数の歯を備えており、前記第１及び第２の一次表示器部材が互いに対して回されると、少なくとも１つの係合部材が前記前進部材と選択的に係合され、前記前進部材を付勢して、前記第１及び第２の一次表示器部材の前記他方の前記複数の歯の少なくとも１つと作動的に係合させる、請求項１６に記載の表示装置。
【請求項１８】
前記複数の一次表示器部材は、前記第１及び第２の一次表示器部材と同軸に、前記第２の一次表示器部材に隣接して取り付けられた第３の一次表示器部材を含んでおり、前記第２及び第３の一次表示器部材の少なくとも一方は第２の前進部材を備えており、前記第２及び第３の一次表示器部材の少なくとも他方は第２の複数の歯を備えており、更に、少なくとも第２の係合部材を備えており、前記第２の一次表示器部材が前記第３の一次表示器部材に対して回されると、前記少なくとも第２の係合部材が、前記第２及び第３の一次表示器部材の前記少なくとも一方の前記第２の前進部材と選択的に係合して、前記第２の前進部材を付勢して、前記第２及び第３の一次表示器部材の前記他方の前記第２の複数の歯の少なくとも１つと作動可能に係合する、請求項１７に記載の表示装置。
【請求項１９】
前記駆動部材は、前記第２の一次表示器部材に配置されている、請求項１８に記載の表示装置。
【請求項２０】
前記駆動部材は第１駆動部材を備えており、前記第１駆動部材は、前記第２の一次表示器部材が所定数の運動をすると、前記第２表示器部材と係合し、前記第１駆動部材の前記第２表示器との前記係合は、前記第２表示器を第１方向に動かし、前記第３の一次表示器部材は第２駆動部材を備えており、前記第２駆動部材は、前記第３の一次表示器部材が所定数の運動をすると、前記第２表示器部材と係合し、前記第２駆動部材の前記第２表示器との前記係合は、前記第２表示器を、前記第１方向とは異なる第２方向に動かす、請求項１９に記載の表示装置。
【請求項２１】
前記第１及び第２の方向は実質的に互いに垂直である、請求項２０に記載の表示装置。
【請求項２２】
前記第２表示器部材は、１平面内で並進移動可能である、請求項１に記載の表示装置。
【請求項２３】
前記第１表示器部材は軸を中心として回転可能であり、前記平面は前記軸に実質的に平行である、請求項２２に記載の表示装置。
【請求項２４】
前記第２表示器部材はプレート部材を備えている、請求項１に記載の表示装置。
【請求項２５】
前記最小の所定回数は１０の倍数である、請求項１に記載の表示装置。
【請求項２６】
容器から既に供給されたか、又は容器内に残っている物質の服用回数を表示するのに適した表示装置において、
回転軸を中心として回転可能に取り付けられており、服用回数増分に伴い前記軸を中心として複数の位置に回転可能な第１表示器部材と、
前記第１表示器部材の所定数の運動に応じて並進移動可能な第２表示器部材であって、前記回転軸に実質的に平行な平面内で並進移動可能な第２表示器部材と、を備えている表示装置。
【請求項２７】
前記第２表示器部材はプレート部材を備えている、請求項２６に記載の表示装置。
【請求項２８】
前記第１及び第２の表示器部材の一方は、容器から既に供給されたか、又は容器内に残っている物質の服用回数を表示するようになっている一次服用量標識を備えており、前記第１及び第２の表示器部材の他方は、容器に残っている物質が最小の所定服用回数分より少ないことを表示するようになっている二次服用量標識を備えている、請求項２６に記載の表示装置。
【請求項２９】
前記第１表示器部材は、前記回転軸を中心として同軸に取り付けられた複数の一次表示器部材を備えている、請求項２６に記載の表示装置。
【請求項３０】
前記第２表示器部材は、少なくとも第１及び第２の方向に並進移動可能である、請求項２６に記載の表示装置。
【請求項３１】
前記第１及び第２の方向は実質的に互いに垂直である、請求項３０に記載の表示装置。